(57)【特許請求の範囲】
【請求項１】
所定の通信回線を介して所定のファクシミリ通信手順により相手ファクシミリ装置とファクシミリ通信を行って、相手ファクシミリ装置から送信されてくるＴＳＩ情報を取得するとともに、画情報を受信するファクシミリ通信手段と、前記受信画情報及び所定のレポートを記録紙に記録出力する記録手段と、前記ＴＳＩ情報から当該ＴＳＩ情報に含まれている番号情報を取得する番号情報取得手段と、前記番号情報取得手段の取得した前記番号情報が「国コード＋０なしの市外局番＋電話番号＋スペース」の構成となっているか否かにより当該番号情報が電話番号であるか否かを判別する判別手段と、前記判別手段が、前記ＴＳＩ情報の前記番号情報が電話番号であると判別し、前記ファクシミリ受信を正常終了すると、当該電話番号の相手先に適切に受信した旨の所定の受信確認通知の画情報を前記ファクシミリ通信手段を介して送信する一方、前記ＴＳＩ情報の前記番号情報が電話番号ではないと判別すると、前記受信確認通知を送信できなかった旨の所定の不達レポートを前記記録手段に記録させる制御手段と、を備えたことを特徴とするファクシミリ装置。
【請求項２】
前記判別手段は、前記番号情報取得手段の取得した前記ＴＳＩ情報の前記番号情報が、「国コード＋０なしの市外局番＋電話番号＋スペース、または♯、または＊、または＋」の構成となっている場合にも、電話番号であると判別することを特徴とする請求項１記載のファクシミリ装置。
【発明の詳細な説明】
【０００１】
【発明の属する技術分野】
本発明は、ファクシミリ装置に関し、詳細には、送信原稿が適切に送信されたか否か等の通信結果を自動的に送信側に通知することのできるファクシミリ装置に関する。
【０００２】
【従来の技術】
ファクシミリ装置においては、原稿の画情報を送信先に送信しても、ファクシミリ装置自体においては、受信側から送信側に何等受信確認を受け取るシステムとはなっていないため、原稿が確実に受信側に送信されたかどうかが重要な問題である。
【０００３】
そこで、本出願人は、先に、受信側のファクシミリ装置で、受信文書の先頭ページに送信側の電話番号を組み込んだバーコードをプリントし、受信者がファクシミリ装置に届いた文書を回収する際に、当該バーコードを読み取らせると、自動的に送達完了通知を生成して、送信元のファクシミリ装置に送信するファクシミリ装置を提案している（特開平９−２６１３９１号公報参照）。
【０００４】
すなわち、この従来のファクシミリ装置は、受信文書に記録されたバーコードを、オペレータがバーコードを読み取る手段で読み取らせると、送達完了通知を送信元のファクシミリ装置に送信している。
【０００５】
【発明が解決しようとする課題】
しかしながら、このような従来のファクシミリ装置にあっては、受信文書に記録されたバーコードを、オペレータがバーコードを読み取る手段で読み取らせると、送達完了通知を送信元のファクシミリ装置に送信するようになっていたため、オペレータがいちいちバーコード読取手段で受信文書に記録されたバーコードを読み取らせる必要があり、面倒であるとともに、迅速性を向上させる上で改良の余地があった。特に、ファクシミリ通信により受発注の伝票を送・受信する場合、上記従来のファクシミリ装置では、発注伝票を受信したファクシミリ装置のオペレータは、いちいち当該発注伝票に記録されたバーコードを読み取らせて、受注伝票としての送達完了通知を送信先のファクシミリ装置に送信する必要があり、ファクシミリ装置の利用性及び迅速性を向上させる上で、改良の余地があった。
【０００６】
また、ファクシミリ通信においては、そのファクシミリ制御手順で送信側から受信側に送信端末情報を通知するＴＳＩ信号の構成の規定に幅があり、ＴＳＩ情報から送信側の電話番号を正確に取得することが重要な課題である。
【０００７】
そこで、請求項１記載の発明は、受信時、相手ファクシミリ装置から送信されてくるＴＳＩ情報から相手先の番号情報を取得し、当該取得した番号情報が「国コード＋０なしの市外局番＋電話番号＋スペース」の構成となっているか否かにより当該番号情報が電話番号であるか否かを判別して、ＴＳＩ情報の番号情報が電話番号であると判別して、ファクシミリ受信を正常終了すると、当該電話番号の相手先に適切に受信した旨の所定の受信確認通知の画情報を送信することにより、例えば、受発注の伝票をファクシミリ通信により送・受信する場合、発注伝票をファクシミリ受信すると、当該発注伝票を送信してきたファクシミリ装置の電話番号をＴＳＩ情報から正確、かつ、確実に取得して、受注伝票としての受信確認通知を当該発注伝票を送信してきたファクシミリ装置に自動送信し、迅速な受発注の伝票処理を行う。また、ＴＳＩ情報の番号情報が電話番号ではないと判別すると、受信確認通知を送信できなかった旨の所定の不達レポートを記録出力することにより、受信確認通知を送信できなかったことが受信側のオペレータに分かるようにして、例えば、受発注の伝票処理における誤発注を防止し、より一層利用性の良好なファクシミリ装置を提供することを目的としている。
【０００８】
請求項２記載の発明は、番号情報取得手段の取得したＴＳＩ情報の番号情報が、「国コード＋０なしの市外局番＋電話番号＋スペース、または♯、または＊、または＋」の構成となっている場合にも、電話番号であると判別することにより、ファクシミリ装置からの送信だけでなく、ＴＳＩ情報を利用した各種サービスからのファクシミリ送信に対しても相手先の電話番号を正確、かつ、確実に取得して、受信確認通知を速やかに、かつ、自動的に送信し、受発注の伝票処理等を迅速に、かつ、広範囲に行って、より一層利用性の良好なファクシミリ装置を提供することを目的としている。
【００１０】
【課題を解決するための手段】
請求項１記載の発明のファクシミリ装置は、所定の通信回線を介して所定のファクシミリ通信手順により相手ファクシミリ装置とファクシミリ通信を行って、相手ファクシミリ装置から送信されてくるＴＳＩ情報を取得するとともに、画情報を受信するファクシミリ通信手段と、前記受信画情報及び所定のレポートを記録紙に記録出力する記録手段と、前記ＴＳＩ情報から当該ＴＳＩ情報に含まれている番号情報を取得する番号情報取得手段と、前記番号情報取得手段の取得した前記番号情報が「国コード＋０なしの市外局番＋電話番号＋スペース」の構成となっているか否かにより当該番号情報が電話番号であるか否かを判別する判別手段と、前記判別手段が、前記ＴＳＩ情報の前記番号情報が電話番号であると判別し、前記ファクシミリ受信を正常終了すると、当該電話番号の相手先に適切に受信した旨の所定の受信確認通知の画情報を前記ファクシミリ通信手段を介して送信する一方、前記ＴＳＩ情報の前記番号情報が電話番号ではないと判別すると、前記受信確認通知を送信できなかった旨の所定の不達レポートを前記記録手段に記録させる制御手段と、を備えたことを特徴とする
【００１１】
上記構成によれば、受信時、相手ファクシミリ装置から送信されてくるＴＳＩ情報から相手先の番号情報を取得し、当該取得した番号情報が「国コード＋０なしの市外局番＋電話番号＋スペース」の構成となっているか否かにより当該番号情報が電話番号であるか否かを判別して、ＴＳＩ情報の番号情報が電話番号であると判別して、ファクシミリ受信を正常終了すると、当該電話番号の相手先に適切に受信した旨の所定の受信確認通知の画情報を送信するので、例えば、受発注の伝票をファクシミリ通信により送・受信する場合、発注伝票をファクシミリ受信すると、当該発注伝票を送信してきたファクシミリ装置の電話番号をＴＳＩ情報から正確、かつ、確実に取得して、受注伝票としての受信確認通知を当該発注伝票を送信してきたファクシミリ装置に自動送信することができ、迅速な受発注の伝票処理を行うことができる。また、ＴＳＩ情報の番号情報が電話番号ではないと判別すると、受信確認通知を送信できなかった旨の所定の不達レポートを記録出力するので、受信確認通知を送信できなかったことが受信側のオペレータに分かるようにして、例えば、受発注の伝票処理における誤発注を防止することができ、ファクシミリ装置の利用性をより一層向上させることができる。
【００１２】
この場合、例えば、請求項２に記載するように、前記判別手段は、前記番号情報取得手段の取得した前記ＴＳＩ情報の前記番号情報が、「国コード＋０なしの市外局番＋電話番号＋スペース、または♯、または＊、または＋」の構成となっている場合にも、電話番号であると判別してもよい。
【００１３】
上記構成によれば、番号情報取得手段の取得したＴＳＩ情報の番号情報が、「国コード＋０なしの市外局番＋電話番号＋スペース、または♯、または＊、または＋」の構成となっている場合にも、電話番号であると判別するので、ファクシミリ装置からの送信だけでなく、ＴＳＩ情報を利用した各種サービスからのファクシミリ送信に対しても相手先の電話番号を正確、かつ、確実に取得して、受信確認通知を速やかに、かつ、自動的に送信することができ、受発注の伝票処理等を迅速に、かつ、広範囲に行って、ファクシミリ装置の利用性をより一層向上させることができる。
【００１６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１７】
図１〜図４は、本発明のファクシミリ装置の第１の実施の形態を示す図であり、図１は、本発明のファクシミリ装置の第１の実施の形態を適用したファクシミリ装置１のブロック構成図である。
【００１８】
図１において、ファクシミリ装置１は、スキャナ２、プロッタ３、符号化・復号化部４、画像メモリ５、通信制御部６、モデム７、網制御部８、操作表示部９、システムメモリ１０及びシステム制御部１１等を備え、上記主要各部は、バス１２により接続されている。
【００１９】
スキャナ２は、例えば、ＣＣＤ（Ｃｈａｒｇｅ  Ｃｏｕｐｌｅｄ  Ｄｅｖｉｃｅ  ）を利用したラインイメージスキャナ等が用いられており、スキャナ２は、原稿の画像を所定の解像度で読み取って、画情報として出力する。
【００２０】
プロッタ３は、例えば、サーマル素子を利用したサーマル記録装置あるいは電子写真式記録装置等が用いられており、プロッタ３は、受信画像やスキャナ２で読み取られた画像を記録紙に記録出力するとともに、後述するように、受信確認通知２０（図４参照）等の各種レポートを記録出力する。
【００２１】
符号化・復号化部４は、画情報の伝送時間の短縮化及び画像メモリ５への画情報の蓄積の効率化等を図るためのものであり、所定の符号化方式に従って画情報を符号化し、また、符号化された画情報を復号化する。
【００２２】
画像メモリ５は、主にスキャナ２により読み取られた送信原稿の画情報や符号化・復号化部４で符号化された送信原稿の画情報を蓄積するとともに、受信した符号化された画情報を蓄積する。
【００２３】
モデム７は、通信制御部６に接続され、システム制御部１１の制御下で動作して、送信信号の変調及び受信信号の復調を行う。通信制御部６は、モデム７に接続されるとともに、網制御部８に接続されており、網制御部８には、回線Ｌ、例えば、公衆電話回線が接続されている。網制御部８は、回線の捕捉、発信先電話番号である選択信号の送出、着信の検出等を行って、回線Ｌからの発呼に対して自動着呼し、回線Ｌへの自動発呼処理を行う。通信制御部６は、網制御部８及びモデム７を制御して、相手ファクシミリ装置との間でファクシミリ制御信号を交換し、ファクシミリ通信手順を実行する。特に、通信制御部６は、送信時に、システムメモリ１０に登録されている自己のファクシミリ番号（電話番号）を相手ファクシミリ装置に送信し、また、網制御部８は、送信側から送られてきたＴＳＩ信号を受信して、システムメモリ１０に転送する。上記通信制御部６、モデム７及び網制御部８は、全体としてファクシミリ通信手段として機能する。
【００２４】
操作表示部９は、テンキーやスタートキー、ファンクションキー及びワンタッチキー等の各種操作キーを備えるとともに、ディスプレイ（例えば、液晶ディスプレイ）を備え、操作キーからは、送信操作等の各種命令が入力操作され、ディスプレイには、ファクシミリ装置１からオペレータに通知する各種情報を表示する。
【００２５】
システムメモリ１０は、例えば、バッテリバックアップされたＲＡＭ等で構成され、ワンタッチダイヤル送信の送信先や短縮ダイヤルの送信先等の各送信先について、送信先電話番号、送信先名称等の送信先情報を記憶するとともに、ファクシミリ装置１の動作に必要な各種情報、特に、送信結果レポート及び不達レポートを作成して、プロッタ３で記録出力するのに必要な各種情報及び受信確認通知２０等の通信結果レポートを作成して画情報として受信原稿の送信側にファクシミリ送信するのに必要な各種情報、例えば、通信結果レポートの項目情報、送信処理毎の送信時間情報（送信年月日、時間及び曜日等）、送信相手先情報（送信相手先ファクシミリ番号等）、送信原稿の枚数、送信結果情報（正常送信できたかどうかの結果）等の通信結果レポートを作成するのに必要な通信結果情報（通信結果レポート情報）及び受信確認通知２０の項目情報、受信時間情報、受信原稿の枚数等の受信確認通知２０を作成するのに必要な各種情報を記憶する。
【００２６】
システム制御部（制御手段）１１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を備え、ＲＯＭ内には、ファクシミリ装置１の基本処理プログラムや後述する受信確認通知処理プログラム等の各種プログラムが格納されているとともに、これらの基本処理プログラム及び受信確認通知処理プログラム等を実行するのに必要な各種データやシステムデータ等が格納されている。システム制御部１１は、そのＣＰＵがＲＡＭをワークメモリとして利用しつつ、ＲＯＭ内のプログラムに基づいてファクシミリ装置１の各部を制御し、ファクシミリ装置１としての基本処理を実行するとともに、後述する受信確認通知処理を実行する。
【００２７】
なお、図示しないが、ファクシミリ装置１は、発振器や分周器等からなるクロック部を備え、クロック部は、現在年月日、時間及び曜日を計時する。クロック部の計時結果は、時刻を利用した各種処理、特に、受信確認通知処理に必要な受信年月日、時間と曜日の計時及び当該受信年月日、時間と曜日の計時の記録に利用される。
【００２８】
次に、本実施の形態の作用を説明する。ファクシミリ装置１は、受信時、送信側のファクシミリ装置から通知されるＴＳＩ信号から送信側の電話番号を誤り無く取得して、受信確認通知２０を当該送信側に送信するところにその特徴がある。
【００２９】
すなわち、ファクシミリ装置１は、図２に示すように、待機時、スキャナ２に原稿がセットされるかチェックし（ステップＳ１）、原稿がセットされないと、送信処理以外のその他の処理を行って、待機状態に戻る（ステップＳ２）。ステップＳ１で、スキャナ２に原稿がセットされると、システム制御部１１は、操作表示部９で送信先ファクシミリ番号の入力やスタートキーの押下等の送信操作が行われるのを待って（ステップＳ３）、当該送信操作に応じて、網制御部８に回線を接続させて発呼動作させ、送信先の相手ファクシミリ装置を呼び出す（ステップＳ４）。
【００３０】
受信側ファクシミリ装置が応呼すると、システム制御部１１は、モデム７及び通信制御部６制御して、所定のファクシミリ制御手順を開始し、このとき、通信制御部６から自己のファクシミリ番号を付加したＴＳＩ信号（送信端末識別信号）を送信させる。そして、システム制御部１１は、スキャナ２を駆動させて、セットされている原稿の読み取りを開始させ（ステップＳ５）、スキャナ２の読み取った原稿の画像を一旦画像メモリ５を介して符号化・復号化部４に転送して、符号化・復号化部４で所定の符号化方式で符号化させた後、再度、画像メモリ５に記憶させる。その後、システム制御部１１は、画像メモリ５から符号化された原稿の画情報を読み出して、通信制御部６、モデム７及び網制御部８を介して相手ファクシミリ装置に送信する（ステップＳ６）。
【００３１】
システム制御部１１は、スキャナ２にセットされた全ての送信原稿の読み取りを行って送信を完了したか、すなわち、スキャナ２に送信原稿が残っていないかチェックし（ステップＳ７）、全ての送信原稿の送信を完了していないときには、ステップＳ５に戻って、送信原稿の読み取りから上記同様に処理する。
【００３２】
ステップＳ７で、全ての送信原稿の送信を完了すると、システム制御部１１は、送信処理を終了する。
【００３３】
そして、ファクシミリ装置１は、上記同様にして、送信側ファクシミリ装置から発呼があって、原稿を適切に受信すると、当該送信側のファクシミリ装置から送信されてくるＴＳＩ信号から送信側ファクシミリ装置のファクシミリ番号（電話番号）を正確に取得して、受信確認通知処理を行う。
【００３４】
すなわち、ファクシミリ装置１は、図３に示すように、待機時に、回線Ｌからの着呼を網制御部８が検出すると（ステップＳ１１）、網制御部８は、この着呼を通信制御部６を介してシステム制御部１１に通知し、システム制御部１１は、モデム７を起動して、網制御部８、モデム７及び通信制御部６により所定のファクシミリ制御手順を実行する。このファクシミリ制御手順において、図２で説明したように、送信側ファクシミリ装置から送信されてくるＴＳＩ信号を網制御部８で受信すると、システム制御部１１は、通信制御部６を介してシステムメモリ１０に転送し、システムメモリ１０に一旦格納する（ステップＳ１２）。
【００３５】
その後、ファクシミリ制御手順が画情報受信のフェーズにはいると、システム制御部１１は、当該画情報を網制御部８、モデム７、通信制御部６を介して受信して、符号化・復号化部４で復号化した後、画像メモリ５を介してプロッタ３に転送し、プロッタ３で記録紙に記録出力させる（ステップＳ１３）。
【００３６】
システム制御部１１は、全ての画情報を受信したかチェックし（ステップＳ１４）、全ての画情報の受信を完了していないときには、ステップＳ１３に戻って、上記同様に、画情報の受信を行って、プロッタ３で記録紙に記録出力させる。
【００３７】
ステップＳ１４で、全ての画情報を受信すると、システム制御部１１は、ファクシミリ制御手順を続行して、当該ファクシミリ受信処理を終了する。
【００３８】
システム制御部１１は、ファクシミリ受信を終了すると、システムメモリ１０に格納したＴＳＩを読み出して、当該ＴＳＩに付加されている送信側電話番号を解析して、当該送信側電話番号が、ＴＳＩに付加される電話番号として適切な構成となっているか、すなわち、「国コード＋０なしの市外局番＋電話番号＋スペース」の構成となっているか、あるいは、「国コード＋０なしの市外局番＋電話番号＋スペース、♯、＊、または、＋」の構成となっているかをチェックする（ステップＳ１５）。
【００３９】
システム制御部１１は、ステップＳ１５で、ＴＳＩの電話番号が上記構成となっていないときには、送信側の電話番号が認識できなかったと判断して、そのまま処理を終了し、ＴＳＩの電話番号が上記構成となっているときには、当該電話番号を送信側の電話番号として取得する。システム制御部１１は、送信側の電話番号を認識すると、網制御部８に回線を接続させて発呼動作させ、送信先の相手ファクシミリ装置を呼び出す。相手ファクシミリ装置が応呼すると、システム制御部１１は、システムメモリ１０に格納されている受信確認通知２０のフォーマットを読み出して、画像メモリ５に展開するとともに、受信確認通知２０に必要な情報、すなわち、受信確認通知２０の項目情報、受信時間情報、受信原稿の枚数等の受信確認通知２０を作成するのに必要な各種情報を当該受信確認通知２０のフォーマットに挿入して、受信確認通知２０の画情報を作成し、当該作成した受信確認通知２０の画情報を符号化・復号化部４で符号化した後、通信制御部６、モデム７及び網制御部８を介して当該相手ファクシミリ装置に送信して、処理を終了する（ステップＳ１６）。
【００４０】
したがって、原稿を送信してきた送信側ファクシミリ装置には、ファクシミリ装置１から、例えば、図４に示すような受信確認通知２０が送信され、送信側ファクシミリ装置のオペレータは、受信確認通知２０により、送信原稿が確実に受信側であるファクシミリ装置１に送信されたことを確認することができる。
【００４１】
このように、本実施の形態によれば、受信時、相手ファクシミリ装置から送信されてくるＴＳＩ情報から相手先の番号情報を取得し、当該取得した番号情報が「国コード＋０なしの市外局番＋電話番号＋スペース」の構成となっているか否かにより当該番号情報が電話番号であるか否かを判別して、ＴＳＩ情報の番号情報が電話番号であると判別して、ファクシミリ受信を正常終了すると、当該電話番号の相手先に適切に受信した旨の受信確認通知２０の画情報を送信している。したがって、例えば、受発注の伝票をファクシミリ通信により送・受信する場合、発注伝票をファクシミリ受信すると、当該発注伝票を送信してきたファクシミリ装置の電話番号をＴＳＩ情報から正確、かつ、確実に取得して、受注伝票としての受信確認通知を当該発注伝票を送信してきたファクシミリ装置に自動送信することができ、迅速な受発注の伝票処理を行って、ファクシミリ装置１の利用性を向上させることができる。
【００４２】
また、番号情報取得手段の取得したＴＳＩ情報の番号情報が、「国コード＋０なしの市外局番＋電話番号＋スペース、または♯、または＊、または＋」の構成となっている場合にも、電話番号であると判別しているので、ファクシミリ装置からの送信だけでなく、ＴＳＩ情報を利用した各種サービスからのファクシミリ送信に対しても相手先の電話番号を正確、かつ、確実に取得して、受信確認通知を速やかに、かつ、自動的に送信することができ、受発注の伝票処理等を迅速に、かつ、広範囲に行って、ファクシミリ装置１の利用性をより一層向上させることができる。
【００４３】
図５及び図６は、本発明のファクシミリ装置の第２の実施の形態を示す図であり、本実施の形態は、ＴＳＩで送られてきた番号が適切に認識できなかったときに、不達レポートを出力するもので、請求項３に対応するものである。
【００４４】
なお、本実施の形態は、上記第１の実施の形態と同様のファクシミリ装置に適用したものであり、本実施の形態の説明においては、上記実施の形態で用いた符号をそのまま用いて、以下説明する。
【００４５】
本実施の形態のファクシミリ装置１は、そのシステムメモリ１０に送信側の電話番号をＴＳＩで認識できなかった際に出力する不達レポート３０（図６参照）の項目情報、受信時間情報、受信原稿の枚数等の不達レポート３０を作成するのに必要な各種情報を記憶している。
【００４６】
そして、ファクシミリ装置１は、受信時、図５に示すように、処理して、受信確認通知２０の送信あるいは不達レポート３０の記録出力を行う。なお、図５において、図４の処理ステップと同様の処理ステップには、同一のステップ番号を付して、その詳細な説明を省略する。
【００４７】
すなわち、ファクシミリ装置１は、図５に示すように、待機時に、回線Ｌからの着呼を網制御部８が検出すると（ステップＳ１１）、網制御部８は、この着呼を通信制御部６を介してシステム制御部１１に通知し、システム制御部１１は、網制御部８、モデム７及び通信制御部６により所定のファクシミリ制御手順を実行する。このファクシミリ制御手順において、送信側ファクシミリ装置から送信されてくるＴＳＩ信号を網制御部８で受信し、通信制御部６を介してシステムメモリ１０に一旦格納する（ステップＳ１２）。
【００４８】
その後、ファクシミリ制御手順が画情報受信のフェーズにはいると、システム制御部１１は、画情報を受信して、符号化・復号化部４で復号化した後、画像メモリ５を介してプロッタ３に転送し、プロッタ３で記録紙に記録出力させる（ステップＳ１３）。
【００４９】
システム制御部１１は、全ての画情報を受信したかチェックし（ステップＳ１４）、全ての画情報の受信を完了していないときには、ステップＳ１３に戻って、上記同様に、画情報の受信を行って、プロッタ３で記録紙に記録出力させる。
【００５０】
ステップＳ１４で、全ての画情報を受信すると、システム制御部１１は、ファクシミリ制御手順を続行して、当該ファクシミリ受信処理を終了する。
【００５１】
システム制御部１１は、ファクシミリ受信を終了すると、システムメモリ１０に格納したＴＳＩを読み出して、当該ＴＳＩに付加されている送信側電話番号をを解析して、当該送信側電話番号が、ＴＳＩに付加される電話番号として適切な構成となっているを、「国コード＋０なしの市外局番＋電話番号＋スペース」の構成となっているか、あるいは、「国コード＋０なしの市外局番＋電話番号＋スペース、♯、＊、または、＋」の構成となっているかによりチェックする（ステップＳ１５）。
【００５２】
システム制御部１１は、ステップＳ１５で、ＴＳＩの電話番号が上記構成となっているときには、当該電話番号を送信側の電話番号として取得して、網制御部８に回線を接続させて発呼動作させ、送信先の相手ファクシミリ装置を呼び出す。相手ファクシミリ装置が応呼すると、システム制御部１１は、システムメモリ１０に格納されている受信確認通知２０のフォーマットを読み出して、画像メモリ５に展開するとともに、受信確認通知２０に必要な情報を当該受信確認通知２０のフォーマットに挿入して、受信確認通知２０の画情報を作成し、当該作成した受信確認通知２０の画情報を符号化・復号化部４で符号化した後、相手ファクシミリ装置に送信して、処理を終了する（ステップＳ１６）。
【００５３】
ステップＳ１５で、ＴＳＩの電話番号が上記構成となっていないときには、システム制御部１１は、送信側の電話番号が認識できなかったと判断して、システムメモリ１０に格納されている不達レポート３０のフォーマットを読み出し、画像メモリ５に展開するとともに、不達レポート３０に必要な情報、すなわち、不達レポート３０の出力年月日、受信枚数等の不達レポート３０を作成するのに必要な各種情報を当該不達レポート３０のフォーマットに挿入して、不達レポート３０の画情報を作成する。システム制御部１１は、当該作成した不達レポート３０の画情報を画像メモリ５から読み出して、プロッタ３に転送し、プロッタ３に当該不達レポート３０を記録紙に記録出力させて、処理を終了する（ステップＳ２１）。
【００５４】
したがって、受信側であるファクシミリ装置１のプロッタ３には、図６に示すような不達レポート３０が記録出力され、受信側のファクシミリ装置１のオペレータは、不達レポート３０により送信側が適切なＴＳＩ信号を送信してこなかったこと及び受信確認通知２０が送信されなかったことが分かる。その結果、送信原稿が発注伝票であると、誤った受注を行うことを防止することができるとともに、発注伝票自体は適切であった場合に、相手先にあらためて電話やファクシミリ装置１により受注を行ったことを通知することができ、受発注をより一層適切なものとすることができる。
【００５５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００５６】
【発明の効果】
請求項１記載の発明のファクシミリ装置によれば、受信時、相手ファクシミリ装置から送信されてくるＴＳＩ情報から相手先の番号情報を取得し、当該取得した番号情報が「国コード＋０なしの市外局番＋電話番号＋スペース」の構成となっているか否かにより当該番号情報が電話番号であるか否かを判別して、ＴＳＩ情報の番号情報が電話番号であると判別して、ファクシミリ受信を正常終了すると、当該電話番号の相手先に適切に受信した旨の所定の受信確認通知の画情報を送信するので、例えば、受発注の伝票をファクシミリ通信により送・受信する場合、発注伝票をファクシミリ受信すると、当該発注伝票を送信してきたファクシミリ装置の電話番号をＴＳＩ情報から正確、かつ、確実に取得して、受注伝票としての受信確認通知を当該発注伝票を送信してきたファクシミリ装置に自動送信することができ、迅速な受発注の伝票処理を行って、ファクシミリ装置の利用性を向上させることができる。また、ＴＳＩ情報の番号情報が電話番号ではないと判別すると、受信確認通知を送信できなかった旨の所定の不達レポートを記録出力するので、受信確認通知を送信できなかったことが受信側のオペレータに分かるようにして、例えば、受発注の伝票処理における誤発注を防止することができ、ファクシミリ装置の利用性をより一層向上させることができる。
【００５７】
請求項２記載の発明のファクシミリ装置によれば、番号情報取得手段の取得したＴＳＩ情報の番号情報が、「国コード＋０なしの市外局番＋電話番号＋スペース、または♯、または＊、または＋」の構成となっている場合にも、電話番号であると判別するので、ファクシミリ装置からの送信だけでなく、ＴＳＩ情報を利用した各種サービスからのファクシミリ送信に対しても相手先の電話番号を正確、かつ、確実に取得して、受信確認通知を速やかに、かつ、自動的に送信することができ、受発注の伝票処理等を迅速に、かつ、広範囲に行って、ファクシミリ装置の利用性をより一層向上させることができる。
【図面の簡単な説明】
【図１】本発明のファクシミリ装置の第１の実施の形態を適用したファクシミリ装置のブロック構成図。
【図２】図１のファクシミリ装置による送信処理を示すフローチャート。
【図３】図１のファクシミリ装置による受信処理と受信確認通知処理を示すフローチャート。
【図４】図３の受信確認通知処理で送信される受信確認通知の一例を示す図。
【図５】本発明のファクシミリ装置の第２の実施の形態を適用したファクシミリ装置による受信処理と受信確認通知処理及び不達レポート出力処理を示すフローチャート。
【図６】図５の不達レポート出力処理で出力される不達レポートの一例を示す図。
【符号の説明】
１  ファクシミリ装置
２  スキャナ
３  プロッタ
４  符号化・復号化部
５  画像メモリ
６  通信制御部
７  モデム
８  網制御部
９  操作表示部
１０  システムメモリ
１１  システム制御部
１２  バス
２０  受信確認通知
３０  不達レポート
【図１】
0003598453.tif 000002
【図２】
0003598453.tif 000003
【図３】
0003598453.tif 000004
【図４】
0003598453.tif 000005
【図５】
0003598453.tif 000006
【図６】
0003598453.tif 000007